(57)【要約】【課題】簡単な操作により所定量の錠剤を安定して取り出すことができ、かつ構造を簡素化して製造コストを低減できる計量キャップを提供する。【解決手段】キャップ軸Ｏに沿う上下方向に錠剤が通過可能な連通孔１４、および、上下方向から見て連通孔１４と重なり連通孔１４の下側に配置される整流部１５を有する中栓部材１１と、中栓部材１１の上側に配置されて有頂筒状をなし、頂壁部２１に錠剤の取り出し口２１ａを有するキャップ本体２０と、上下方向において頂壁部２１と中栓部材１１との間に配置され、連通孔１４と連通する第１計量室３１と、上下方向において頂壁部２１と中栓部材１１との間に配置され、取り出し口２１ａと連通し、第１計量室３１とキャップ軸Ｏに直交する径方向に並ぶ第２計量室３２と、第１計量室３１の下側に配置される部分を有し、第１計量室３１と第２計量室３２とを連通する連通部３３と、を備える。【選択図】図１
2020033095.tif 000002
【特許請求の範囲】
【請求項１】
複数の錠剤が収容される容器の口部に装着される計量キャップであって、
キャップ軸に沿う上下方向に錠剤が通過可能な連通孔、および、上下方向から見て前記連通孔と重なり前記連通孔の下側に配置される整流部を有する中栓部材と、
前記中栓部材の上側に配置されて有頂筒状をなし、頂壁部に錠剤の取り出し口を有するキャップ本体と、
上下方向において前記頂壁部と前記中栓部材との間に配置され、前記連通孔と連通する第１計量室と、
上下方向において前記頂壁部と前記中栓部材との間に配置され、前記取り出し口と連通し、前記第１計量室と前記キャップ軸に直交する径方向に並ぶ第２計量室と、
前記第１計量室の下側に配置される部分を有し、前記第１計量室と前記第２計量室とを連通する連通部と、を備える、計量キャップ。
【請求項２】
請求項１に記載の計量キャップであって、
前記整流部は、
前記中栓部材から下側に延び、上下方向から見て前記連通孔を挟んで両側に配置される一対の支持部と、
一対の前記支持部の下端部同士を連結する連結部と、を有する、計量キャップ。
【請求項３】
請求項１または２に記載の計量キャップであって、
前記キャップ本体は、前記頂壁部から下側に突出し、上下方向から見て前記連通孔と重なる第１案内壁部を有し、
前記第１案内壁部は、径方向に沿って前記第１計量室から前記第２計量室に向かうにしたがい上側に向けて延びる第１傾斜面を有する、計量キャップ。
【請求項４】
請求項１〜３のいずれか一項に記載の計量キャップであって、
前記中栓部材は、前記中栓部材の上面に配置され、径方向に沿って前記第１計量室から前記第２計量室に向かうにしたがい下側に向けて延びる第２傾斜面を有し、
前記第２傾斜面は、上下方向から見て前記第１計量室と重なる、計量キャップ。
【請求項５】
請求項１〜４のいずれか一項に記載の計量キャップであって、
前記中栓部材は、
前記中栓部材から下側に突出し、上下方向から見て前記連通孔の少なくとも一部を径方向外側から囲う第２案内壁部と、
前記中栓部材から下側に突出し、径方向において前記第２案内壁部と前記連通孔との間に配置される第３案内壁部と、を有し、
前記第３案内壁部の下端部が、前記第２案内壁部の下端部よりも上側に位置する、計量キャップ。
【請求項６】
請求項１〜５のいずれか一項に記載の計量キャップであって、
前記キャップ本体は、前記頂壁部から下側に突出し、径方向において前記第１計量室と前記第２計量室との間に配置される移動抑制壁部を有する、計量キャップ。
【発明の詳細な説明】
【技術分野】
【０００１】
本発明は、計量キャップに関する。
【背景技術】
【０００２】
従来、複数の錠剤が収容される容器の口部に装着される計量キャップが知られる。特許文献１の計量キャップは、付勢バネにより付勢されるスライド部材を押し込むことにより、ストック室と取出孔部とが連通して、所定量の錠剤が計量キャップの外部に取り出される。
【先行技術文献】
【特許文献】
【０００３】
【特許文献１】特開２０１４−９１５２２号公報
【発明の概要】
【発明が解決しようとする課題】
【０００４】
この種の計量キャップにおいては、錠剤を取り出す操作を簡単にして操作性を高める点、および、構造を簡素化して製造コストを低減する点に改善の余地があった。
【０００５】
上記事情に鑑み、本発明は、簡単な操作により所定量の錠剤を安定して取り出すことができ、かつ構造を簡素化して製造コストを低減できる計量キャップを提供することを目的の一つとする。
【課題を解決するための手段】
【０００６】
本発明の一つの態様は、複数の錠剤が収容される容器の口部に装着される計量キャップであって、キャップ軸に沿う上下方向に錠剤が通過可能な連通孔、および、上下方向から見て前記連通孔と重なり前記連通孔の下側に配置される整流部を有する中栓部材と、前記中栓部材の上側に配置されて有頂筒状をなし、頂壁部に錠剤の取り出し口を有するキャップ本体と、上下方向において前記頂壁部と前記中栓部材との間に配置され、前記連通孔と連通する第１計量室と、上下方向において前記頂壁部と前記中栓部材との間に配置され、前記取り出し口と連通し、前記第１計量室と前記キャップ軸に直交する径方向に並ぶ第２計量室と、前記第１計量室の下側に配置される部分を有し、前記第１計量室と前記第２計量室とを連通する連通部と、を備える。
【０００７】
この計量キャップでは、容器を倒立姿勢にすると、連通孔を通して容器内から第１計量室へと少なくとも所定量（例えば少なくとも１錠）の錠剤が移動する。そして、容器を倒立姿勢から正立姿勢に戻すと、第１計量室の所定量（例えば１錠）の錠剤が、第１計量室から連通部を通って、第２計量室に移動する。容器を再び倒立姿勢にすると、第２計量室の所定量の錠剤が、第２計量室から取り出し口を通って計量キャップの外部に取り出される。このとき、容器内から連通孔を通って、別の少なくとも所定量の錠剤が、第１計量室へと移動する。したがって、次に容器を正立姿勢から倒立姿勢とすることにより、２回目以降については１アクションで所定量の錠剤を取り出すことができる。
【０００８】
本発明によれば、錠剤が、第１計量室、連通部および第２計量室を通って、取り出し口から取り出される。また、連通孔の下側に整流部が配置されるので、錠剤を連通孔に少量ずつ順番に流入させることができる。したがって、所定量の錠剤を安定して取り出すことができる。
【０００９】
また、容器を正立姿勢から倒立姿勢にするという簡単な操作により、所定量の錠剤を取り出すことができる。従来の計量キャップのようなスライド部材や付勢バネを必要とする構成ではないため、本発明によれば、部品点数を削減して構造を簡素化でき、製造コストを低減できる。
【００１０】
上記計量キャップにおいて、前記整流部は、前記中栓部材から下側に延び、上下方向から見て前記連通孔を挟んで両側に配置される一対の支持部と、一対の前記支持部の下端部同士を連結する連結部と、を有することが好ましい。
【００１１】
この場合、一対の支持部および連結部が配置されていない連通孔の側方等の方向から、錠剤が連通孔に流入する。このため、簡単な構成の整流部により、錠剤を連通孔に少量ずつ順番に流入させる機能（作用）が安定して得られる。
【００１２】
上記計量キャップにおいて、前記キャップ本体は、前記頂壁部から下側に突出し、上下方向から見て前記連通孔と重なる第１案内壁部を有し、前記第１案内壁部は、径方向に沿って前記第１計量室から前記第２計量室に向かうにしたがい上側に向けて延びる第１傾斜面を有することが好ましい。
【００１３】
この場合、容器を倒立姿勢にしたときに、容器内から第１計量室に移動した錠剤が、第１傾斜面により案内されて、第２計量室に向けて移動する（第２計量室に近づく）。したがって、第１計量室の錠剤が、連通部および第２計量室へと安定して案内されやすくなる。
【００１４】
上記計量キャップにおいて、前記中栓部材は、前記中栓部材の上面に配置され、径方向に沿って前記第１計量室から前記第２計量室に向かうにしたがい下側に向けて延びる第２傾斜面を有し、前記第２傾斜面は、上下方向から見て前記第１計量室と重なることが好ましい。
【００１５】
この場合、容器を倒立姿勢から正立姿勢にしたときに、第１計量室の錠剤が、第２傾斜面により案内されて、連通部および第２計量室に向けて移動しやすい。したがって、第１計量室の錠剤が、連通部および第２計量室へと安定して案内される。
【００１６】
上記計量キャップにおいて、前記中栓部材は、前記中栓部材から下側に突出し、上下方向から見て前記連通孔の少なくとも一部を径方向外側から囲う第２案内壁部と、前記中栓部材から下側に突出し、径方向において前記第２案内壁部と前記連通孔との間に配置される第３案内壁部と、を有し、前記第３案内壁部の下端部が、前記第２案内壁部の下端部よりも上側に位置することが好ましい。
【００１７】
この場合、容器を倒立姿勢にしたときに、容器内の錠剤が、第２案内壁部の下端部および第３案内壁部の下端部に案内されて、連通孔に向けて移動しやすい。したがって、容器内の錠剤が、連通孔および第１計量室へと安定して案内される。
【００１８】
上記計量キャップにおいて、前記キャップ本体は、前記頂壁部から下側に突出し、径方向において前記第１計量室と前記第２計量室との間に配置される移動抑制壁部を有することが好ましい。
【００１９】
この場合、容器を倒立姿勢にして第２計量室の錠剤を取り出すときに、移動抑制壁部によって、第１計量室の錠剤が第２計量室に移動することが抑制される。第１計量室の錠剤が、第２計量室の錠剤とともに誤って取り出し口から排出されることが抑えられる。したがって、所定量の錠剤を安定して取り出すことができる。
【発明の効果】
【００２０】
本発明の一つの態様の計量キャップによれば、簡単な操作により所定量の錠剤を安定して取り出すことができ、かつ構造を簡素化して製造コストを低減できる。
【図面の簡単な説明】
【００２１】
【図１】本発明の一実施形態の計量キャップを示す縦断面図である。
【図２】計量キャップの中栓部材の下面図であり、一部を模式的に表している。
【図３】計量キャップの使用方法（倒立姿勢）を説明する図である。
【図４】計量キャップの使用方法（正立姿勢）を説明する図である。
【図５】本発明の一実施形態の変形例の計量キャップの縦断面を表す斜視図である。
【発明を実施するための形態】
【００２２】
以下、本発明の一実施形態の計量キャップ１０について、図面を参照して説明する。
本実施形態の計量キャップ１０は、複数の錠剤Ｔが収容される有底筒状の容器２の口部３に装着される。本実施形態の例では、錠剤Ｔが平面視で略楕円形状である。
【００２３】
図１に示すように、計量キャップ１０は、中栓部材１１と、キャップ本体２０と、第１計量室３１と、第２計量室３２と、連通部３３と、蓋部４０と、ヒンジ部５０と、を備える。中栓部材１１は、有頂筒状であり、容器２の口部３に装着される。キャップ本体２０は、有頂筒状であり、中栓部材１１に装着されて中栓部材１１を覆う。蓋部４０は、有頂筒状であり、キャップ本体２０の頂壁部２１を覆う。キャップ本体２０の頂壁部２１には、錠剤Ｔの取り出し口２１ａが開口する。
容器２の口部３、中栓部材１１、キャップ本体２０および蓋部４０は、それぞれの中心軸線が共通軸上に配置される。本実施形態では、この共通軸をキャップ軸Ｏと呼ぶ。
【００２４】
本実施形態では、キャップ軸Ｏに沿う方向（キャップ軸Ｏが延びる方向）を上下方向またはキャップ軸Ｏ方向と呼ぶ。キャップ軸Ｏ方向に沿って容器２の底部から、中栓部材１１、キャップ本体２０および蓋部４０へ向かう方向を上側と呼び、中栓部材１１、キャップ本体２０および蓋部４０から、容器２の底部へ向かう方向を下側と呼ぶ。
キャップ軸Ｏ方向から見た平面視で、キャップ軸Ｏに直交する方向を径方向と呼ぶ。径方向に沿ってキャップ軸Ｏに接近する方向を径方向内側と呼び、キャップ軸Ｏから離間する方向を径方向外側と呼ぶ。なお本実施形態では、取り出し口２１ａの径方向位置が、キャップ軸Ｏとは異なる位置とされている。以下の説明では、径方向のうち、キャップ軸Ｏと取り出し口２１ａとを繋ぐ方向を、前後方向と呼ぶ。前後方向のうち、キャップ軸Ｏから取り出し口２１ａに向かう方向を前方と呼び、取り出し口２１ａからキャップ軸Ｏに向かう方向を後方と呼ぶ。径方向のうち、前後方向に直交する方向を側方と呼ぶ。
キャップ軸Ｏ回りに周回する方向を周方向と呼ぶ。
【００２５】
図１および図２に示すように、中栓部材１１は、中栓周壁１２と、中栓頂壁１３と、連通孔１４と、整流部１５と、第２傾斜面１６と、シール筒部１７と、第２案内壁部１８と、第３案内壁部１９と、を有する。
【００２６】
中栓周壁１２は、筒状であり、容器２の口部３に対して径方向外側に装着される。本実施形態の例では、中栓周壁１２の内周面に設けられる雌ネジ部と、口部３の外周面に設けられる雄ネジ部とが、着脱可能に螺着する。つまり中栓部材１１は、容器２の口部３に対して着脱可能に装着される。
中栓周壁１２は、係止突起１２ａを有する。係止突起１２ａは、中栓周壁１２の外周面の下端部に配置されて、径方向外側に突出する。
【００２７】
中栓頂壁１３は、板状であり、その一対の板面が上下方向を向く。中栓頂壁１３は、中栓周壁１２の上端部に接続する。中栓頂壁１３は、テーパ筒部１３ａと、位置決め突起１３ｂと、を有する。
テーパ筒部１３ａは、中栓頂壁１３の外周部よりも径方向内側に位置する。テーパ筒部１３ａは、上下方向から見て中栓頂壁１３の略中央部に配置される。テーパ筒部１３ａは、キャップ軸Ｏ上に配置されるが、テーパ筒部１３ａの中心軸は、キャップ軸Ｏよりも後方に位置する。テーパ筒部１３ａは、中栓頂壁１３の外周部から径方向内側に向かうにしたがい上側に向けて傾斜して延びるテーパ状である。
位置決め突起１３ｂは、中栓頂壁１３の外周部における後端部に配置される。位置決め突起１３ｂは、中栓頂壁１３の上面における後端部から上側に向けて突出する。
【００２８】
連通孔１４は、中栓頂壁１３を上下方向に貫通して形成される。連通孔１４は、テーパ筒部１３ａの上端開口部に位置して、上下方向に開口する。すなわち、連通孔１４の中心軸は、テーパ筒部１３ａの中心軸と同軸に配置される。本実施形態の例では、連通孔１４が円孔状である。連通孔１４は、その内部を錠剤Ｔが上下方向に通過可能に形成される。
【００２９】
整流部１５は、上下方向から見て連通孔１４と重なり、連通孔１４の下側に配置される。整流部１５は、一対の支持部１５ａと、連結部１５ｂと、を有する。
一対の支持部１５ａは、中栓部材１１から下側に延び、上下方向から見て連通孔１４を挟んで両側に配置される。本実施形態の例では、一対の支持部１５ａが、中栓頂壁１３のテーパ筒部１３ａから下側に延び、上下方向から見て連通孔１４を中央に挟んだ前方および後方に配置される。一対の支持部１５ａのうち、連通孔１４の前方に位置する一方の支持部１５ａは、中栓頂壁１３から下側に向かうにしたがい後方に向けて傾斜して延びる。一対の支持部１５ａのうち、連通孔１４の後方に位置する他方の支持部１５ａは、中栓頂壁１３から下側に向かうにしたがい前方に向けて傾斜して延びる。
連結部１５ｂは、一対の支持部１５ａの下端部同士を連結する。連結部１５ｂは、径方向に延びる。本実施形態の例では、連結部１５ｂが、径方向のうち前後方向に延びる。
【００３０】
整流部１５と中栓頂壁１３とにより画成される開口部１５ｃは、連通孔１４と連通する。開口部１５ｃの開口寸法は、錠剤Ｔの外径（長軸方向の外径。最大径）よりも大きい（図３および図４を参照）。本実施形態の例では、一対の支持部１５ａ同士の間の径方向の寸法が、錠剤Ｔの外径よりも大きい。テーパ筒部１３ａの上端開口部（連通孔１４）と連結部１５ｂとの間の上下方向の寸法が、錠剤Ｔの外径よりも大きい。
【００３１】
第２傾斜面１６は、中栓部材１１の上面に配置され、径方向に沿って第１計量室３１から第２計量室３２に向かうにしたがい下側に向けて延びる。本実施形態の例では、第２傾斜面１６が、中栓頂壁１３におけるテーパ筒部１３ａの上面（外周面）の前方部分に配置され、前方に向かうにしたがい下側に向けて傾斜して延びる。第２傾斜面１６は、上下方向から見て、第１計量室３１と重なって配置される。
【００３２】
シール筒部１７は、キャップ軸Ｏを中心軸とする筒状である。シール筒部１７は、中栓頂壁１３から下側に向けて延びる。シール筒部１７は、容器２の口部３内に嵌合する。
【００３３】
第２案内壁部１８は、中栓部材１１から下側に突出し、上下方向から見て連通孔１４の少なくとも一部を径方向外側から囲う。本実施形態の例では、第２案内壁部１８が、中栓頂壁１３から下側に突出し、上下方向から見て、キャップ軸Ｏを略中心とする円弧状に延びる。第２案内壁部１８は、上下方向から見て、連通孔１４の少なくとも前方部分および側方部分を径方向外側から囲う。第２案内壁部１８は、上下方向から見て、連通孔１４の後方部分以外の部分を径方向外側から囲う。
【００３４】
第３案内壁部１９は、中栓部材１１から下側に突出し、径方向において第２案内壁部１８と連通孔１４との間に配置される。本実施形態の例では、第３案内壁部１９が、中栓頂壁１３から下側に突出し、上下方向から見て、キャップ軸Ｏを略中心とする円弧状に延びる。第３案内壁部１９は、上下方向から見て、連通孔１４の前方部分を径方向外側から囲う。
【００３５】
第３案内壁部１９は、第２案内壁部１８と径方向に隙間をあけて配置される。第３案内壁部１９と第２案内壁部１８との径方向の隙間は、錠剤Ｔの外径（短軸方向の外径。最小径）よりも小さい。第３案内壁部１９の下端部は、第２案内壁部１８の下端部よりも上側に位置する。計量キャップ１０の縦断面視において、第２案内壁部１８の下端部と第３案内壁部１９の下端部とを通る仮想直線（不図示）は、開口部１５ｃおよび連通孔１４と交差する。
【００３６】
キャップ本体２０は、中栓部材１１の上側に配置される。キャップ本体２０は、中栓部材１１をその上側および径方向外側から覆う。キャップ本体２０は、周壁部２２と、頂壁部２１と、第１案内壁部２３と、移動抑制壁部２４と、位置決めリブ２５と、を有する。
【００３７】
周壁部２２は、筒状であり、中栓周壁１２に対して径方向外側に装着される。周壁部２２は、その下側部分が中栓周壁１２の外部に嵌合する。周壁部２２のうち下側部分の内径は、上側部分の内径よりも大きい。すなわち、周壁部２２の内周面のうち、下側部分の径方向位置は、上側部分の径方向位置よりも、径方向外側である。
【００３８】
周壁部２２は、係止溝２２ａと、周壁段部２２ｂと、を有する。
係止溝２２ａは、周壁部２２の内周面における下端部に配置され、周方向に沿って延びる。係止溝２２ａは、周壁部２２の下側部分において内周面から径方向外側に窪んで形成される。係止溝２２ａには、中栓周壁１２の係止突起１２ａが係止される。これにより、中栓周壁１２に対して周壁部２２が少なくとも上側に移動することが規制される。
【００３９】
周壁段部２２ｂは、周壁部２２の内周面における下側部分と上側部分との境界部に配置される。周壁段部２２ｂは、下側を向き周方向に延びる環状の面により構成される。周壁段部２２ｂは、中栓頂壁１３の外周部に対して上側から接触する。これにより、中栓頂壁１３に対して周壁部２２が下側に移動することが規制される。
つまりキャップ本体２０は、中栓部材１１に対して上下方向に移動することが規制されている。
【００４０】
頂壁部２１は、板状であり、その一対の板面が上下方向を向く。頂壁部２１は、周壁部２２の上端部に接続する。頂壁部２１のうち前方部分の上下方向の厚さは、前方部分以外の部分の上下方向の厚さよりも大きい。具体的には、頂壁部２１の下面のうち、前方部分の上下方向の位置は、前方部分以外の部分の上下方向の位置よりも、下側である。
【００４１】
頂壁部２１は、取り出し口２１ａと、段部２１ｂと、を有する。
取り出し口２１ａは、頂壁部２１を上下方向に貫通する貫通孔により構成される。本実施形態の例では、取り出し口２１ａが円孔状である。取り出し口２１ａは、頂壁部２１の径方向外端部（外周部）に配置される。取り出し口２１ａの内部を通して、錠剤Ｔが計量キャップ１０の外部に取り出される。
段部２１ｂは、頂壁部２１の下面における前方部分と、前方部分以外の部分との境界部に配置される。段部２１ｂは、後方を向く面により構成される。段部２１ｂは、上下方向から見て第２傾斜面１６と重なって配置され、または第２傾斜面１６よりも前方に配置される。
【００４２】
第１案内壁部２３は、頂壁部２１から下側に突出し、上下方向から見て連通孔１４と重なって配置される。第１案内壁部２３は、頂壁部２１のうち前方部分以外の部分に配置されて、該部分から下側に延びる。第１案内壁部２３の下端部は、テーパ筒部１３ａの上端開口部のうち後端部と、上下方向に対向する。
【００４３】
第１案内壁部２３は、第１傾斜面２３ａを有する。第１傾斜面２３ａは、上下方向から見て連通孔１４と重なって配置される。本実施形態の例では、第１傾斜面２３ａの全体が、上下方向から見て連通孔１４と重なる。第１傾斜面２３ａは、径方向に沿って第１計量室３１から第２計量室３２に向かうにしたがい上側に向けて延びる。具体的に、第１傾斜面２３ａは、第１案内壁部２３の下端部から前方に向かうにしたがい上側に向けて傾斜して延びる。本実施形態の例では、側方から見て（図１を参照）、第１傾斜面２３ａが凹曲面状である。第１傾斜面２３ａの下端部（後端部）は、連通孔１４の後端部と上下方向に対向する。
【００４４】
移動抑制壁部２４は、頂壁部２１から下側に突出し、径方向において第１計量室３１と第２計量室３２との間に配置される。移動抑制壁部２４は、頂壁部２１のうち前方部分に配置されて、該前方部分から下側に延びる。本実施形態の例では、移動抑制壁部２４の後方を向く面と、段部２１ｂの後方を向く面とが、上下方向から見て互いに重なる。すなわち、移動抑制壁部２４の後方を向く面と、段部２１ｂの後方を向く面とが、互いに面一に配置される。移動抑制壁部２４の下端部は、中栓頂壁１３の上面との間に、上下方向に間隔をあけて配置される。
【００４５】
位置決めリブ２５は、周壁部２２の上側部分に配置され、該上側部分の内周面から径方向内側に突出し、上下方向に延びる。位置決めリブ２５の上端部は、頂壁部２１の下面と接続する。位置決めリブ２５は、周壁部２２の上側部分における後端部に、一対設けられる。一対の位置決めリブ２５同士は、周方向に互いに間隔をあけて配置される。一対の位置決めリブ２５同士の間には、位置決め突起１３ｂが挿入される。位置決めリブ２５は、位置決め突起１３ｂと周方向に隙間をあけて対向し、または接触する。
一対の位置決めリブ２５同士の間に位置決め突起１３ｂが配置されることにより、キャップ本体２０と中栓部材１１との周方向の相対移動が規制される。キャップ本体２０と中栓部材１１とが、互いに周方向に位置決めされた状態で組み立てられる。
【００４６】
第１計量室３１は、上下方向において頂壁部２１と中栓部材１１との間に配置され、連通孔１４と連通する。第１計量室３１は、上下方向において、頂壁部２１の前方部分以外の部分と、中栓頂壁１３のテーパ筒部１３ａとの間に配置される。第１計量室３１は、上下方向から見て連通孔１４と重なって配置される。具体的に、第１計量室３１のうち前端部は、上下方向から見て第２傾斜面１６と重なって配置される。第１計量室３１のうち前端部以外の部分が、上下方向から見て連通孔１４と重なって配置される。第１計量室３１のうち前端部以外の部分には、第１案内壁部２３の第１傾斜面２３ａが配置される。
【００４７】
第１計量室３１は、上下方向において頂壁部２１とテーパ筒部１３ａとの間に画成される空間である。第１計量室３１は、前後方向において段部２１ｂおよび移動抑制壁部２４と、第１傾斜面２３ａとの間に画成される空間である。第１計量室３１の前後方向の長さは、上下方向の長さよりも大きい。第１計量室３１の上下方向の長さは、錠剤Ｔの外径（最大径）よりも僅かに大きい（図３を参照）。第１計量室３１は、容器２を図３に示す倒立姿勢としたときに、所定量（例えば１錠）の錠剤Ｔを保持可能である。
【００４８】
第２計量室３２は、上下方向において頂壁部２１と中栓部材１１との間に配置され、取り出し口２１ａと連通する。第２計量室３２は、上下方向において、頂壁部２１の前方部分と、中栓頂壁１３のうちテーパ筒部１３ａよりも前方に位置する部分との間に配置される。第２計量室３２は、上下方向から見て取り出し口２１ａと重なって配置される。第２計量室３２は、第１計量室３１と径方向に並ぶ。第２計量室３２は、第１計量室３１の前方に隣り合って配置される。
【００４９】
第２計量室３２は、上下方向において頂壁部２１と中栓頂壁１３との間に画成される空間である。第２計量室３２は、前後方向において周壁部２２の前端部と、移動抑制壁部２４との間に画成される空間である。第２計量室３２の前後方向の長さおよび上下方向の長さは、錠剤Ｔの外径（最大径）よりも大きい（図４を参照）。第２計量室３２は、容器２を図４に示す正立姿勢としたときに、所定量の錠剤Ｔを保持可能である。
【００５０】
第２計量室３２の上端は、頂壁部２１の下面のうち前方部分により構成される。第１計量室３１の上端は、頂壁部２１の下面のうち、前方部分以外の部分（前方部分よりも後方に位置する部分）により構成される。このため、第２計量室３２の上端は、第１計量室３１の上端よりも下側に位置する。
第２計量室３２の下端は、中栓頂壁１３の上面のうち、テーパ筒部１３ａよりも前方に位置する部分により構成される。第１計量室３１の下端は、テーパ筒部１３ａの上端開口部により構成される。このため、第２計量室３２の下端は、第１計量室３１の下端よりも下側に位置する。
つまり、第２計量室３２は、第１計量室３１に対して下側に配置される。
【００５１】
連通部３３は、第１計量室３１と第２計量室３２とを連通する。連通部３３は、第１計量室３１の下側に配置される部分を有する。連通部３３は、上下方向において移動抑制壁部２４と中栓頂壁１３との間に位置する空間部分を含む。連通部３３は、移動抑制壁部２４と周方向に隣り合う空間部分を含む。連通部３３は、第２計量室３２の下側部分と周方向に隣り合う空間部分を含む。連通部３３のうち、第１計量室３１よりも下側に配置される部分には、上下方向において移動抑制壁部２４と中栓頂壁１３との間に位置する空間部分、および、第２計量室３２の下側部分と周方向に隣り合う空間部分が含まれる。連通部３３は、径方向において第１計量室３１から第２計量室３２に向かうにしたがい下側に向けて延びる通路である。錠剤Ｔは、連通部３３を通って、第１計量室３１から第２計量室３２へと移動可能である。
【００５２】
蓋部４０は、頂壁部２１の上側に配置され、取り出し口２１ａを開放可能に閉塞する。蓋部４０は、頂壁部２１をその上側および径方向外側から覆う。蓋部４０は、蓋部周壁４１と、蓋部頂壁４２と、を有する。
【００５３】
蓋部周壁４１は、筒状であり、頂壁部２１に対して径方向外側に着脱可能に装着される。蓋部周壁４１は、その下端部が頂壁部２１の外縁部に嵌合する。蓋部周壁４１は、操作突片４１ａを有する。操作突片４１ａは、蓋部周壁４１の前端部に配置されて、蓋部周壁４１の外周面から前方に向けて突出する。
【００５４】
蓋部頂壁４２は、板状であり、その一対の板面が上下方向を向く。蓋部頂壁４２は、栓部４２ａを有する。栓部４２ａは、筒状であり、蓋部頂壁４２から下側に向けて突出する。栓部４２ａは、蓋部頂壁４２の下面の前方部分に配置される。栓部４２ａは、取り出し口２１ａ内に嵌合する。
【００５５】
ヒンジ部５０は、キャップ本体２０と蓋部４０とを連結する。ヒンジ部５０は、周壁部２２の後端部の上端と、蓋部周壁４１の後端部の下端とを、連結する。
キャップ本体２０、蓋部４０およびヒンジ部５０は、単一の部材により一体に形成されている。
【００５６】
以上説明した本実施形態の計量キャップ１０では、図３に示すように容器２を倒立姿勢にすると、連通孔１４を通して容器２内から第１計量室３１へと少なくとも所定量（本実施形態では少なくとも１錠）の錠剤Ｔが移動する。そして、図４に示すように、容器２を倒立姿勢から正立姿勢に戻すと、第１計量室３１の所定量（本実施形態では１錠）の錠剤Ｔが、第１計量室３１から連通部３３を通って、第２計量室３２に移動する。このとき、所定量以外の余分な錠剤Ｔについては、第１計量室３１から連通孔１４を通って容器２内に戻される。図３に示すように容器２を再び倒立姿勢にすると、第２計量室３２の所定量の錠剤Ｔが、第２計量室３２から取り出し口２１ａを通って計量キャップ１０の外部に取り出される。このとき、容器２内から連通孔１４を通って、別の少なくとも所定量の錠剤Ｔが、第１計量室３１へと移動する。したがって、次に容器２を正立姿勢から倒立姿勢とすることにより、２回目以降については１アクションで所定量の錠剤Ｔを取り出すことができる。
【００５７】
本実施形態によれば、錠剤Ｔが、第１計量室３１、連通部３３および第２計量室３２を通って、取り出し口２１ａから取り出される。また、連通孔１４の下側に整流部１５が配置されるので、錠剤Ｔを連通孔１４に少量ずつ順番に流入させることができる。したがって、所定量の錠剤Ｔを安定して取り出すことができる。
【００５８】
また、容器２を正立姿勢から倒立姿勢にするという簡単な操作により、所定量の錠剤Ｔを取り出すことができる。従来の計量キャップのようなスライド部材や付勢バネを必要とする構成ではないため、本実施形態によれば、部品点数を削減して構造を簡素化でき、製造コストを低減できる。
【００５９】
また本実施形態では、整流部１５の一対の支持部１５ａおよび連結部１５ｂが配置されていない連通孔１４の側方から、開口部１５ｃを通って錠剤Ｔが連通孔１４に流入する。このため、簡単な構成の整流部１５により、錠剤Ｔを連通孔１４に少量ずつ順番に流入させる機能（作用）が安定して得られる。
【００６０】
また本実施形態では、容器２を倒立姿勢にしたときに、容器２内から第１計量室３１に移動した錠剤Ｔが、第１傾斜面２３ａにより案内されて、第２計量室３２に向けて移動する（第２計量室３２に近づく）。したがって、第１計量室３１の錠剤Ｔが、連通部３３および第２計量室３２へと安定して案内されやすくなる。
【００６１】
また本実施形態では、第２傾斜面１６が、上下方向から見て第１計量室３１と重なって配置される。このため、容器２を倒立姿勢から正立姿勢にしたときに、第１計量室３１の錠剤Ｔが、第２傾斜面１６により案内されて、連通部３３および第２計量室３２に向けて移動しやすい。したがって、第１計量室３１の錠剤Ｔが、連通部３３および第２計量室３２へと安定して案内される。
【００６２】
また本実施形態では、中栓部材１１が、第２案内壁部１８および第３案内壁部１９を有する。このため、容器２を倒立姿勢にしたときに、容器２内の錠剤Ｔが、第２案内壁部１８の下端部および第３案内壁部１９の下端部に案内されて、連通孔１４に向けて移動しやすい。したがって、容器２内の錠剤Ｔが、連通孔１４および第１計量室３１へと安定して案内される。
【００６３】
また本実施形態では、容器２を倒立姿勢にして第２計量室３２の錠剤Ｔを取り出すときに、移動抑制壁部２４によって、第１計量室３１の錠剤Ｔが第２計量室３２に移動することが抑制される。第１計量室３１の錠剤Ｔが、第２計量室３２の錠剤Ｔとともに誤って取り出し口２１ａから排出されることが抑えられる。したがって、所定量の錠剤Ｔを安定して取り出すことができる。
【００６４】
また本実施形態では、キャップ本体２０、蓋部４０およびヒンジ部５０が、単一の部材により一体に形成されている。このため、蓋部４０によって取り出し口２１ａを開閉可能としつつ、計量キャップ１０の部品点数の増加を抑えて構造を簡素化できる。
【００６５】
なお、本発明は前述の実施形態に限定されず、例えば下記に説明するように、本発明の趣旨を逸脱しない範囲において構成の変更等が可能である。
【００６６】
前述の実施形態では、中栓部材１１が容器２の口部３に装着され、キャップ本体２０が中栓部材１１に装着される例を挙げたが、これに限らない。キャップ本体２０が、口部３に直接装着されてもよい。この場合、中栓部材１１は、口部３と固定されてもよいし、キャップ本体２０と固定されてもよい。
【００６７】
前述の実施形態では、整流部１５の一対の支持部１５ａが、連通孔１４を中央に挟んで前方および後方に配置される例を挙げたが、これに限らない。一対の支持部１５ａは、上下方向から見て、連通孔１４を挟んで前後方向以外の方向（側方等）の両側に配置されてもよい。
また整流部１５は、一対の支持部１５ａおよび連結部１５ｂを有する構成に限らない。整流部１５は、錠剤Ｔを連通孔１４に少量ずつ順番に流入させることが可能な構成を有していればよい。
【００６８】
図５は、前述の実施形態で説明した計量キャップ１０の変形例を示している。なお、図５においては、整流部１５の図示を省略している。この変形例では、中栓部材１１が、囲い壁部１１ａと、第４案内壁部１１ｂと、を有する。
【００６９】
囲い壁部１１ａは、筒状であり、中栓頂壁１３から上側に向けて延びる。囲い壁部１１ａの中心軸は、キャップ軸Ｏよりも前方に位置する。囲い壁部１１ａは、テーパ筒部１３ａの上端開口部（連通孔１４）、第２傾斜面１６、第２計量室３２の下側部分、および、連通部３３のうち第１計量室３１の下側に配置される部分を、径方向外側から囲う。なお連通部３３のうち第１計量室３１の下側に配置される部分とは、上下方向において移動抑制壁部２４と中栓頂壁１３との間に位置する空間部分、および、第２計量室３２の下側部分と周方向に隣り合う空間部分を含む。
【００７０】
第４案内壁部１１ｂは、中栓頂壁１３から上側に向けて突出するリブ状である。第４案内壁部１１ｂは、囲い壁部１１ａの内周面と接続し、この内周面から第２計量室３２に向けて延びる。図示の例では、第４案内壁部１１ｂが複数設けられる。第４案内壁部１１ｂは、その上面に第３傾斜面１１ｃを有する。第３傾斜面１１ｃは、周方向に沿って第２計量室３２および取り出し口２１ａ（の中心）に近づくにしたがい、下側に向けて傾斜して延びる。つまり中栓部材１１は、中栓部材１１の上面に配置され、周方向に沿って取り出し口２１ａに近づくにしたがい下側に向けて延びる第３傾斜面１１ｃを有する。
【００７１】
この変形例によれば、錠剤Ｔが囲い壁部１１ａおよび第３傾斜面１１ｃにより案内されて、取り出し口２１ａの直下に配置されやすくなる。このため、容器２を倒立姿勢にしたときに、第２計量室３２の錠剤Ｔが、取り出し口２１ａから安定してキャップ外部に取り出される。
なお図５に示すように、計量キャップ１０は、蓋部４０およびヒンジ部５０を備えていなくてもよい。計量キャップ１０は、シール筒部１７および段部２１ｂを有していなくてもよい。
【００７２】
その他、本発明の趣旨を逸脱しない範囲で、上述した実施形態における構成要素を周知の構成要素に置き換えることは適宜可能であり、また、上述した実施形態および変形例を適宜組み合わせてもよい。
【符号の説明】
【００７３】
２…容器、３…口部、１０…計量キャップ、１１…中栓部材、１４…連通孔、１５…整流部、１５ａ…支持部、１５ｂ…連結部、１６…第２傾斜面、１８…第２案内壁部、１９…第３案内壁部、２０…キャップ本体、２１…頂壁部、２１ａ…取り出し口、２３…第１案内壁部、２３ａ…第１傾斜面、２４…移動抑制壁部、３１…第１計量室、３２…第２計量室、３３…連通部、４０…蓋部、５０…ヒンジ部、Ｏ…キャップ軸、Ｔ…錠剤
【図１】
2020033095.tif 000003
【図２】
2020033095.tif 000004
【図３】
2020033095.tif 000005
【図４】
2020033095.tif 000006
【図５】
2020033095.tif 000007